(57)【要約】【課題】  本発明は両面複写及び縮小複数頁印刷が可能な複写装置に関し、特に改用紙の指示信号を挿入する構成であり、煩雑な白紙の挿入等の作業を無くすことができ、縮小複数頁印刷の場合においても、章の先頭の印刷頁を複写用紙の左上に複写することができ、見易い複写結果を得ることができる複写装置を提供することである。【解決手段】  本発明は予め制御情報管理テーブルに管理番号に対応する印刷制御情報を記録し、該管理番号は原稿に記録された画像データに含まれ、原稿画像を読み取り、予め上記制御情報管理テーブルに記録された制御情報の形態と一致する形態を検出した際、対応する管理番号の情報を検索し、対応する印刷制御を行う。例えば、改用紙の制御情報であれば、以降の複写を用紙の表面の第１位置から行い、改面の制御情報であれば、以降の複写を用紙の表面又は裏面の第１位置から行い、例えば原稿の章が変わった時、自動的に複写用紙の表面、又は表面の左上位置から印刷されるように制御する。【選択図】  図２
2005086455.tif 000002
【特許請求の範囲】
【請求項１】
複数頁から成る原稿を順次読み込み、両面印刷又は片面当たり複数頁印刷の形式に変換し、読み込んだ順番で前記原稿の複写を行う複写装置であって、
読み込まれる原稿の画像データから原稿の区切り頁を示す制御情報を検出する検出手段と、
該検出手段によって前記制御情報が検出された時、以降の原稿複写位置を、両面印刷における表面、又は複数頁印刷における１番目の位置に初期設定する設定手段と、
前記制御情報が検出されない時、両面印刷における表面と裏面、又は複数頁印刷における印刷位置を順番に変更しながら複写する通常複写手段と、
を有することを特徴とする複写装置。
【請求項２】
前記制御情報の検出に用いた原稿の複写は行わないことを特徴とする請求項１記載の複写装置。
【請求項３】
前記読み込んだ原稿の画像データに所定マークが認識された時、前記制御情報が検出されたものとして前記印刷位置の初期設定を行うと共に、該画像データ上の前記マークを消去してから該画像データを用紙上の指定位置に複写することを特徴とする請求項１記載の複写装置。
【請求項４】
前記区切り頁を示す制御情報の他に、両面印刷又は片面印刷の指定、片面当たりの印刷頁数を任意に指定する複写モードを設定する制御情報を検出し、該複写モードを設定する制御情報が検出された時、以降の頁の複写において指定された複写モードに切り換えて複写を行うことを特徴とする請求項１記載の複写装置。
【請求項５】
前記複写モードの切り換えと共に、印刷位置の初期設定を行うことを特徴とする請求項４記載の複写装置。
【請求項６】
前記原稿の画像データに含まれる制御情報の形態、及び該制御情報が指定する制御動作を任意に登録することを特徴とする請求項１記載の複写装置。
【請求項７】
前記制御情報の複写、又は非複写を任意に指定することを特徴とする請求項６記載の複写装置。
【請求項８】
前記制御情報の形態は、前記原稿上に印刷、又は書き込まれたマークであり、該マークの複写又は非複写を任意に指定することを特徴とする請求項６記載の複写装置。
【請求項９】
複数の制御情報を登録し、該制御情報を登録後に該制御情報の有効、又は無効を任意に指定することを特徴とする請求項６記載の複写装置。
【請求項１０】
前記制御情報を検出した際の印刷位置の初期設定において、前記両面印刷における表面への初期化と複数頁印刷における１番目の位置への初期化とを同時に行うことを特徴とする請求項１記載の複写装置。
【請求項１１】
前記制御情報を検出した際の印刷位置の初期設定において、前記両面印刷における表面又は裏面の初期化は行わず、次の面に設定し、複数頁印刷における１番目の位置への初期化のみを行うことを特徴とする請求項１記載の複写装置。
【発明の詳細な説明】
【技術分野】
【０００１】
本発明は、両面複写及び片面当たり複数頁印刷（縮小複数頁印刷）が可能な複写装置に関する。
【背景技術】
【０００２】
今日、両面複写や縮小複数頁印刷機能を有する複写装置が広く使用されている。例えば、このような複写装置によって両面印刷を行う場合、原稿画像は順次用紙の表面、裏面に複写され、例えば複数頁にわたる原稿の章が変わった場合でも順番に複写される。この為、章の先頭が複写用紙の裏面に印刷される場合もある。従来、このような問題を解決する為、章の先頭頁が複写用紙の裏面に印刷される場合、章の切れ目に白紙を挿入し、章の先頭頁が複写用紙の表面に必ず印刷されるよう調整している。
【０００３】
また、縮小複数頁印刷の場合も同様であり、章の先頭頁が紙面の左上に位置しない場合、必要な枚数の白紙を挿入し、章の先頭頁が必ず紙面の左上に位置するように調整している。
また、特許文献１には、両面印刷が可能な印刷装置において、表面に印刷する印刷頁を示す命令を出し、対応する印刷頁が裏面に印刷されると判断する場合、改頁の指示を挿入し、指定する印刷頁を用紙の表面に印刷させる発明が開示されている。
【特許文献１】特開平１１−１７５３０４号公報（段落番号００２２〜００８９）
【発明の開示】
【発明が解決しようとする課題】
【０００４】
しかしながら、上記従来の複写装置では章の変わり目に白紙を挿入する必要があり、煩雑な作業を必要とする。また、改頁を指示し、指定する印刷頁を用紙の表面に印刷させる発明には、各種制御情報を原稿画像に挿入し、該制御情報を読み出して印刷制御を行う内容は開示されていない。さらに、原稿複写を行うに際し、複写モードや原稿の重ね順等に左右されず、頁の印刷位置を初期位置に設定する必要もある。
【課題を解決するための手段】
【０００５】
上記課題は本発明によれば、複数頁から成る原稿を順次読み込み、両面印刷又は片面当たり複数頁印刷の形式に変換し、読み込んだ順番で前記原稿の複写を行う複写装置であって、読み込まれる原稿の画像データから原稿の区切り頁を示す制御情報を検出する検出手段と、該検出手段によって前記制御情報が検出された時、以降の原稿複写位置を、両面印刷における表面、又は複数頁印刷における１番目の位置に初期設定する設定手段と、前記制御情報が検出されない時、両面印刷における表面と裏面、又は複数頁印刷における印刷位置を順番に変更しながら複写する通常複写手段とを有する複写装置を提供することによって達成できる。
【０００６】
このように構成することにより、例えば原稿の画像データから原稿の区切り頁の制御情報を検出した時、両面印刷の処理中であれば、以降の頁の印刷を表面から行い、縮小複数頁印刷であれば以降の頁の印刷を表面の第１位置、例えば左上位置から開始し、章の先頭頁を複写用紙の表面及び表面の第１位置に必ず印刷することができる。また、上記検出手段によって前記制御情報が検出された時、以降の原稿複写位置を両面印刷における表面、又は複数頁印刷における１番目の位置に初期設定する場合、当該原稿を含む複写印刷でもよい。
【０００７】
また、上記発明において、例えば前記制御情報の検出に用いた原稿の複写は行わない構成とする。このように構成することにより、無駄な原稿複写を省き、複写用紙の消費を抑えることができる。
また、上記発明において、例えば前記読み込んだ原稿の画像データに所定マークが認識された時、前記制御情報が検出されたものとして前記印刷位置の初期設定を行うと共に、該画像データの前記マークを用紙上の指定位置に複写する構成とする。このように構成することにより、複写結果から制御情報の確認を行うことができる。
【０００８】
また、上記発明において、例えば前記区切り頁を示す制御情報の他に、両面印刷又は片面印刷の指定、片面当たりの印刷頁数を任意に指定する複写モードを設定する制御情報を検出し、該複写モードを設定する制御情報が検出された時、以降の頁の複写において指定された複写モードに切り換えて複写を行う構成である。このように構成することにより、例えばカレント倍率が変更された時、以降の原稿複写を直ちに変更された複写倍率で印刷することができる。
【０００９】
また、上記記載において、例えば前記複写モードの切り換えと共に、印刷位置の初期設定を行う構成である。このように構成することにより、複写倍率の変更があった後、複写用紙の表面、及び表面の第１位置に変更後の複写モードで印刷を行うことができる。
また、上記発明において、例えば前記原稿の画像データに含まれる制御情報の形態、及び該制御情報が指定する制御動作を任意に登録する構成である。このように構成することにより、複写処理の際の制御情報を、例えば任意に作成したマークや用紙の色等によって指定し、登録することができる。
【００１０】
また、上記記載において、例えば前記制御情報の形態の複写、又は非複写を任意に指定可能である。このように構成することにより、使用した制御情報の形態を複写結果に残し、又は複写結果に残さない選択を行うことができ、例えば複写結果に残す場合には後に制御情報の記載を確認することができる。
【００１１】
また、上記記載において、例えば複数の制御情報を登録し、該制御情報を登録後に該制御情報の有効、又は無効を任意に指定することが可能である。このように構成することにより、例えば一旦設定した制御情報を必要に応じて無効にすることもできる。
また、上記記載において、例えば前記制御情報を検出した際の印刷位置の初期設定において、前記両面印刷における表面への初期化と複数頁印刷における１番目の位置への初期化とを同時に行う制御を行うこともでき、一方前記制御情報を検出した際の印刷位置の初期設定において、前記両面印刷における表面又は裏面の初期化は行わず、次の面に設定し、複数頁印刷における１番目の位置への初期化のみを行うこともできる。
【発明の効果】
【００１２】
本発明は上記構成により、自動的に章の切れ目を検出して章の先頭頁を複写用紙の表面、又は複写用紙の一番目の位置に印刷することができ、従来行われていた煩雑な白紙の挿入作業を無くすことができる。
また、縮小複数頁印刷の場合においても、章の先頭の印刷頁を複写用紙の左上に複写することができ、見易い複写結果を得ることができる。
【発明を実施するための最良の形態】
【００１３】
以下、本発明の実施形態を図面に基づいて詳細に説明する。
図１は、本例の複写装置のシステム構成を説明する図である。同図において、複写装置はＣＰＵ１、ＲＡＭ２、記憶部３、入力部４、表示部５、読取部６、印刷部７、通信部８で構成されている。また、ＲＡＭ２はプログラム実行領域２ａ、及び作業領域２ｂで構成され、記憶部３はプログラム記憶領域３ａ、及びデータ記憶領域３ｂで構成されている。
【００１４】
記憶部３のプログラム記憶領域３ａに記憶されたプログラムは、ＲＡＭ２のプログラム実行領域２ａに送られ、ＣＰＵ１はこのプログラムに基づいて後述する印刷制御処理を行う。また、ＣＰＵ１による制御処理中、ＲＡＭ２の作業領域２ｂが使用される。
入力部４及び表示部５は、例えば複写装置の上面に配設されたオペレーションパネルに配設され、入力部４はキー操作信号をＣＰＵ１に送信し、表示部５はＣＰＵ１から出力される各種表示情報を表示する。
【００１５】
読取部６は原稿台、及び原稿台に載置された原稿への光照射部、更に原稿に照射された光の反射光を受光する受光部で構成され、受光部に入射した原稿画像は光電変換され、画像データとして記録される。また、印刷部７は後述する処理によって作成された印刷データに基づいて複写用紙に両面印刷、又は縮小複数頁印刷を行う。
【００１６】
通信部８はネットワークに接続されたパーソナルコンピュータＰＣ等のホスト機器との通信を行う機能を有し、データの授受を行う。
尚、本例の複写装置は両面印刷、及び縮小複数頁印刷が可能であり、複写処理中、章の先頭頁を表面に印刷し、又縮小複数頁印刷における章の先頭頁を複写用紙の左上位置に印刷する。
【００１７】
図２は、前述のデータ記憶領域３ｂに記憶された制御情報管理テーブルの例である。本例のテーブルには「管理番号」に対応して、「制御情報の形態」、「制御動作」、「制御用紙のコピー」、「マークの削除」、「制御の許可状態」の各記憶エリアが設けられ、「管理番号」に対応して各エリアにデータが設定される。
【００１８】
例えば、「管理番号」１には、「制御情報の形態」として“白紙”が設定され、「制御動作」として“改用紙”が設定され、「制御用紙のコピー」として“しない”が設定され、「制御の許可状態」として“有効”が設定されている。この場合、原稿を複写する際、原稿の中に“白紙”が含まれていると、「管理番号」１の情報が読み出され、“改用紙”の指示が行われ、以降自動的に新たな用紙に変更され印刷が行われる。また、この場合「制御用紙のコピー」は“しない”に設定されており、原稿に含まれる“白紙”のコピーは行わない。
【００１９】
また、「管理番号」２は、「制御情報の形態」が“赤紙”に設定され、「制御動作」が“改面”に設定され、「制御用紙のコピー」が“しない”に設定され、「制御の許可状態」が“有効”に設定されている。この場合、原稿の中に“赤紙”が含まれていると、「管理番号」２の情報が読み出され、“改面”の指示が行われ、以降の複写は表面又は裏面に移行して行われる。また、この場合「制御用紙のコピー」は“しない”に設定されており、原稿に含まれる“赤紙”のコピーは行わない。
【００２０】
また、「管理番号」３は、「制御情報の形態」が“マークＡ”に設定され、「制御動作」が“用紙サイズ変更”であり、「制御用紙のコピー」は“する”に設定され、「制御の許可状態」が“無効”である。この場合、原稿の中に“マークＡ”を検出すると、「管理番号」３の情報が読み出され、用紙サイズの変更が行われ、以降新たに設定された用紙サイズの複写用紙に印刷が行われる。また、この場合「制御用紙のコピー」は“する”に設定されており、マークＡの画像は印刷される。
【００２１】
次に、上記図２に示す制御情報管理テーブルに制御情報を登録する処理について説明する。例えば、上記のように“白紙”（「管理番号」１）〜“マークＡ”（「管理番号」３）までの登録が行われていた場合、更に以下の処理によって、“マークＢ”、“マークＣ”、“マークＤ”についても、図２に示す制御情報の登録を行うことができる。
【００２２】
図３は、この登録処理を説明するフローチャートである。先ず、新規登録であるか否かの判断を行う（ステップ（以下、Ｓで示す）１）。ここで、新規登録でなければ（Ｓ１がＮＯ）、許可状態を変更するものと判断し、管理番号を指定する（Ｓ２）。この場合、許可状態を変更し、変更後の許可状態を登録する（Ｓ３）。
【００２３】
一方、新規登録であれば（Ｓ１がＹＥＳ）、見本用紙のセットが行われたか判断する（Ｓ４）。この見本用紙は、各設定状態を自動的に複写装置に読み取らせる用紙であり、前述の「管理番号」に対応する条件の設定を行う用紙である。
先ず、原稿台に見本用紙がセットされていなければ、見本用紙がセットされるのを待ち（Ｓ４がＮＯ）、原稿台に見本用紙がセットされると（Ｓ４がＹＥＳ）、原稿画像を読み込んでデータを取得する（Ｓ５）。例えば、見本用紙に印刷又は記述されたマーク部分、又は用紙全体の色や形状を認識し、認識したマークや色を新たな管理番号に登録する（Ｓ６、Ｓ７）。
【００２４】
次に、制御動作を指定し、登録する（Ｓ８）。例えば、図２に示すように「制御情報の形態」が“マークＢ”の場合、「制御動作」として“倍率変更”を指定し、登録する。また、認識した内容が“マークＣ”の場合、「制御動作」として“両面／片面変更”を指定し、登録する。
【００２５】
次に、「制御用紙のコピー」の指定、登録処理を行う（Ｓ９）。この場合、例えば上記“マークＢ”である場合、当該マークをコピーするのであれば“する”の指定、登録を行い、当該マークをコピーしないのであれば“しない”の指定、登録を行う。さらに、「マークの削除」の指定、登録処理、及び許可状態の登録処理についても同様に行う。（Ｓ１０、Ｓ１１）。
【００２６】
次に、制御情報管理テーブルに上記各種設定が行われた後、複写処理を行う。図４は本例の複写処理を説明するフローチャートである。
先ず、未読み込みの原稿が有るか判断する（ステップ（以下、ＳＴで示す）１）。この判断は、原稿台に載置された原稿画像の読み込み処理が、最後の原稿まで終了しているか、未処理の原稿が残っていないか判断するものであり、未処理原稿が残っていない場合には複写処理を終了する（ＳＴ１がＮＯ）。
【００２７】
一方、未処理原稿が残っている場合（ＳＴ１がＹＥＳ）、原稿１枚分の読み取り処理を行い、原稿の画像データを取得する（ＳＴ２）。
次に、上記処理によって読み取った画像データに、前述の制御情報管理テーブルに登録した制御情報が含まれているか判別する（ＳＴ３）。すなわち、原稿画像の中に、図２に示す「制御情報の形態」のエリアに記録された“白紙”や“赤紙”、“マークＡ”等の制御情報が含まれているか判断する。例えば、“白紙”や“赤紙”の判断は、読み取った原稿画像の情報から、Ｒ（赤）、Ｇ（緑）、Ｂ（青）のカラー情報を取得し、又はイエロー（Ｙ）、マゼンダ（Ｍ）、シアン（Ｃ）のカラー情報を取得し、その成分比に基づいて判断する。また、“マークＡ”等のマーク画像については、画像マッチングの手法によって画像認識を行い、対応するマークの検出を行う。
【００２８】
ここで、原稿画像に登録された制御情報が含まれていない場合（ＳＴ４がＮＯ）、読み込んだ画像データをカレントコピー面のカレント位置に、カレント倍率で印刷する（ＳＴ５）。例えば、カレントコピー面が表面であり、カレント位置が左上位置であり、カレント倍率が１／４であれば、この時の原稿画像を複写用紙の表面の左上位置に、１／４の倍率で印刷する。そして、この場合複写状態情報に基づいて、カレントコピー面、カレント位置を次の位置に更新する（ＳＴ６）。例えば、上記例の場合、カレントコピー面は表面のまま指定され、カレント位置は右上位置に更新される。
【００２９】
一方、上記判断（ＳＴ４）において、原稿画像に登録された制御情報が含まれている場合（ＳＴ４がＹＥＳ）、先ず含まれていた制御情報が改用紙指定であるか判断する（ＳＴ７）。すなわち、制御情報が前述の図２の「制御情報の形態」に含まれる“白紙”であるか判断する。ここで、制御情報が“白紙”であればカレントコピー面を表面に設定し、カレント位置を“１”に設定する（ＳＴ７がＹＥＳ、ＳＴ８）。
【００３０】
例えば、この時のコピー状態情報が図５に示す状態である場合を例として説明する。この場合、同図に示すように“両面”印刷であり、片面当たり原稿４頁分の印刷を行い、現在のコピー面が裏面であり、カレント位置が“２”である。図６はこの場合の複写状態を模式的に示し、同図に示す斜線位置が現在の原稿画像の印刷位置に対応する。
【００３１】
この場合において、上記改頁指定があると、カレントコピー面は次の用紙の表面に更新され、カレント位置は表面の左上位置（カレント位置“１”）に更新される。
一方、制御情報が“改用紙”ではない場合（ＳＴ７がＮＯ）、次に画像データに含まれる制御情報は改面指定であるか判断する（ＳＴ９）。すなわち、制御情報が前述の図２の「制御情報の形態」に含まれる“赤紙”であるか判断する。ここで、制御情報が“赤紙”であればカレントコピー面を次の面に設定し、カレント位置を“１”に設定する（ＳＴ１０）。
【００３２】
例えば、上記図６に示す例では、カレントコピー面は次の用紙の表面に更新され、カレント位置は表面の左上位置（カレント位置“１”）に更新される。また、例えばカレント位置が図６に示す網点模様の位置（表面のカレント位置“３”）であれば、カレントコピー面は同じ用紙の裏面に更新され、カレント位置は裏面の左上位置（カレント位置“１”）に更新される。
【００３３】
一方、制御情報が“改面”でもない場合（ＳＴ９がＮＯ）、次に他のモード変更指定か否か判断する（ＳＴ１１）。ここで、前述の“マークＡ”や“マークＢ”等の他の制御情報であれば、対応するモードに更新する（ＳＴ１１がＹＥＳ、ＳＴ１２）。この場合、例えばカレントコピー面を表面に設定し、カレント位置を“１”に初期化し、カレント倍率の設定を行う。
【００３４】
次に、マークの削除が必要であるか否かを判断する（ＳＴ１３）。ここで、マークの削除が必要である場合（ＳＴ１３がＹＥＳ）、マークを削除するため、マーク位置周辺の画像データを背景色に変更し、マークを実質的に削除する（ＳＴ１４）。上記マークの削除処理を終了した後、又はマークの削除が必要ではない場合（ＳＴ１３がＮＯ）、判断（ＳＴ１５）に移行する。
【００３５】
この判断は、印刷処理の必要性を判断するものである。ここで、印刷処理が必要である場合とは、例えば前述の判断において、改用紙指定があり、又はカレント倍率の変更指示があり、カレントコピー面を表面に設定し、カレント位置を“１”に設定した場合である。このような場合、印刷処理が必要であると判断し（ＳＴ１５がＹＥＳ）、それまでに読み込んだ画像データを印刷する。この時、画像データは前述のＲＡＭ２の作業領域２ｂに格納されており、複写用紙に印刷される（ＳＴ１６）。
【００３６】
次に、制御用紙のコピーの判断を行う（ＳＴ１７）。この判断は、前述の制御情報管理テーブルの「制御用紙のコピー」のエリアを参照し、制御用紙の印刷を行うか否か判断する。ここで、上記エリアに“しない”の情報が記憶されていれば（ＳＴ１７がＮＯ）、制御用紙を印刷することなく次の未読込の原稿の有無判断に戻る（ＳＴ１）。一方、上記エリアに“する”の情報が記憶されていれば（ＳＴ１７がＹＥＳ）、制御用紙の印刷処理を行い（ＳＴ１８）、次の未読込の原稿の有無判断に戻る（ＳＴ１）。
【００３７】
以下、同様に処理することにより、原稿の画像データを読み込んだ際、制御情報である色やマークを検出すると、予め設定した管理情報に基づき、改用紙や改面、倍率変更等の処理を順次行う。
特に、両面印刷の際、改用紙の制御情報を検出すると、用紙を改め、表面に印刷が行われ、縮小複数頁印刷の際、改用紙の制御情報を検出すると、用紙を改め、表面の左上から印刷が開始されるので、複数頁の複写処理における章の区切りを自動的に行うことができる。
【００３８】
尚、上記実施形態では、図５及び図６に示すように印刷面を４分割して縮小複数頁印刷を行う例を説明したが、例えば図７（ａ）に示すように印刷面を左右に２分割する構成としてもよく、また同図（ｂ）に示すように印刷面を８分割する構成としてもよく、更に同図（ｃ）に示すように印刷面を６分割する構成としてもよい。
【００３９】
また、本例では図２の制御情報管理テーブルに示す制御情報の例について説明したが、本発明は同図に示す制御情報に限定されるものではない。
【図面の簡単な説明】
【００４０】
【図１】本例の複写装置のシステム構成を説明する図である。
【図２】データ記憶領域に記憶された制御情報管理テーブルの一例を説明する図である。
【図３】制御情報管理テーブルの設定処理を説明するフローチャートである。
【図４】複写処理を説明するフローチャートである。
【図５】コピー状態情報を説明する図である。
【図６】複写状態を示す図であり、現在の原稿の印刷位置を斜線位置で示す図である。
【図７】（ａ）は各印刷面を左右に２分割する構成を説明する図であり、（ｂ）は各印刷面を８分割する構成を説明する図であり、（ｃ）は各印刷面を６分割する構成を説明する図である。
【符号の説明】
【００４１】
１  ＣＰＵ
２  ＲＡＭ
２ａ  プログラム実行領域
２ｂ  作業領域
３  記憶部
３ａ  プログラム記憶領域
３ｂ  データ記憶領域
４  入力部
５  表示部
６  読取部
７  印刷部
８  通信部
【図１】
2005086455.tif 000003
【図２】
2005086455.tif 000004
【図３】
2005086455.tif 000005
【図４】
2005086455.tif 000006
【図５】
2005086455.tif 000007
【図６】
2005086455.tif 000008
【図７】
2005086455.tif 000009